(57)【要約】【課題】老人や肢体不自由者等にとって、乗降時、従来、必要としていたフットレストを不要にし、フットレストが乗降の邪魔にならず、しかも、歯科治療中は、起状態治療においても倒（寝）状態治療においても足を安定（安心）した状態にして歯科治療を受けることができるようにした。【解決手段】バックレスト１２及びコンターシート１３を有し、前記バックレスト１２を起倒して起状態又は倒（寝）状態にて治療可能となっている。コンターシート１３の先端に該コンターシート１３より前方に進退可能にアンクルサポート（円筒体）２１を有する。起状態時、フットレスト２２は円筒体で構成されており、治療中は足を載せることができるが、乗降の邪魔にならない。倒（寝）治療時、円筒体２１が前方に進出し、患者の足（かかと部）を載せることができる。【選択図】図１
2005349103.tif 000002
【特許請求の範囲】
【請求項１】
バックレスト及びコンターシートを有し、前記バックレストを起倒して起状態又は倒（寝）状態にて治療可能な歯科用治療椅子において、前記コンターシートの先端に該コンターシートより前方に進退可能にアンクルサポートを有することを特徴とする歯科用治療椅子。
【請求項２】
前記アンクルサポートは円筒体にて形成され、該円筒体の両端を支持するアームが前記コンターシートに形成された案内溝に沿って進退することを特徴とする請求項１に記載の歯科用治療椅子。
【請求項３】
前記コンターシートの下部に巻軸を有し、該巻軸に巻回されたシートの外側端が前記円筒体に固定され、該円筒体の進退に応じて前記シートが繰り出されることを特徴とする請求項１又は２に記載の歯科用治療椅子。
【請求項４】
前記円筒体の両端には軸方向に長孔を有する第１のリンクアームが連結され、該第１のリンクアームの前記長孔には一端が治療椅子の基台に設けられた長孔内を移動する第２のリンクアームの他端が移動可能に連結されていることを特徴とする請求項１乃至３のいずれかに記載の歯科用治療椅子。
【請求項５】
前記第２のリンクアームの前記第１のリンクアームに連結された連結軸に一端が連結された第３のアームを有し、該第３のアームの先端に円筒体のフットサポートが連結されていることを特徴とする請求項４に記載の歯科用治療椅子。
【発明の詳細な説明】
【技術分野】
【０００１】
本発明は、歯科用治療椅子、より詳細には、バックレストとコンターシートとを有し、バックレストを起倒させて患者を起状態又は倒（寝）状態にして治療を行うようにした歯科用治療椅子において、コンターシートの先端部に進退自在に円筒体を有し、該円筒体は起状態時は後退位置にあって患者の膝部を支えるニー（ｋｎｅｅ）サポータとして働き、倒（寝）状態時は前進位置にあって患者の足部を支えるアンクルサポータとして働くようにしたものである。
【背景技術】
【０００２】
図５は、本発明が適用される歯科用治療椅子の一例を説明するための要部概略構成図で、図中、１０は歯科用治療椅子、１１は安頭台、１２はバックレスト、１３はコンターシート、１４はレッグレスト、１５はフットレスト、１６は基台で、周知のように、常時は、起状態にあり、この状態で患者は、フットレスト１５の上に乗って、その後、コンターシート１３に腰掛ける。その後、ドクターは、椅子を倒状態に（寝状態）にして治療を行い、或いは、起状態にするとともに、椅子を上昇させて患者がうがいしやすいようにする等、椅子１０を起、或いは、倒状態にして歯科治療を行う。
【０００３】
上記歯科用治療椅子においては、患者は、フットレスト１５の上に乗って、その後、コンターシート１３に腰掛けるようにしており、また、うがい時には、椅子を上昇させてうがいがしやすい状態にするが、この時、患者は、足をフットレスト１５の上に載せることができ、これによって、安定して腰掛けていることができるようになっている。
【０００４】
上述のように、従来の歯科用治療椅子においては、フットレストを有し、このフットレストの上に足を載せることによって、安定して腰掛けることができるようになっているが、乗降時、このフットレストの上に乗ってからコンターシートに腰掛けるようになっているため、老人や肢体不自由の患者は、狭いフットレストの上に乗ってから腰掛けなければならず、治療椅子への乗降が大変であった。勿論、フットレストがなければ、治療椅子への乗降は楽にできるが、治療中、特に、椅子が上昇された時に、足が宙ぶらりんになり、患者に不安感を与えてしまう。
【特許文献１】特開平１１−３３０６６号公報
【発明の開示】
【発明が解決しようとする課題】
【０００５】
本発明は、上述のごとき実情を鑑みてなされたもので、治療椅子への乗降に際し、フットレストに乗ることなく乗降でき、かつ、治療椅子に座っている時は、フットレスト上に足を載せることができるようにして、老人や肢体不自由者にやさしい歯科治療椅子を提供することを目的としてなされたものである。
【課題を解決するための手段】
【０００６】
請求項１の発明は、バックレスト及びコンターシートを有し、前記バックレストを起倒して起状態又は倒（寝）状態にて治療可能な歯科用治療椅子において、前記コンターシートの先端に該コンターシートより前方に進退可能にアンクルサポートを有することを特徴としたものである。
【０００７】
請求項２の発明は、請求項１の発明において、前記アンクルサポートは円筒体にて形成され、該円筒体の両端を支持するアームが前記コンターシートに形成された案内溝に沿って進退することを特徴としたものである。
【０００８】
請求項３の発明は、請求項１又は２の発明において、前記コンターシートの下部に巻軸を有し、該巻軸に巻回されたシートの外側端が前記円筒体に固定され、該円筒体の進退に応じて前記シートが繰り出されることを特徴としたものである。
【０００９】
請求項４の発明は、請求項１乃至３のいずれかの発明において、前記円筒体の両端には軸方向に長孔を有する第１のリンクアームが連結され、該第１のリンクアームの前記長孔には一端が治療椅子の基台に設けられた長孔内を移動する第２のリンクアームの他端が移動可能に連結されていることを特徴としたものである。
【００１０】
請求項５の発明は、請求項１乃至４のいずれかの発明において、前記第２のリンクアームの前記第１のリンクアームに連結された連結軸に一端が連結された第３のアームを有し、該第３のアームの先端に円筒体のフットサポートが連結されていることを特徴としたものである。
【発明の効果】
【００１１】
本発明によると、老人や肢体不自由者等にとって、乗降時、従来、必要としていたフットレストを不要にしたので、フットレストが乗降の邪魔にならず、乗降が容易で、しかも、歯科治療中は、起状態治療においても倒（寝）状態治療においても足を安定（安心）した状態にして歯科治療を受けることができる。
【発明を実施するための最良の形態】
【００１２】
図１は、本発明による歯科用治療椅子の起状態時における全体斜視図、図２は、倒（寝）状態時における全体斜視図で、本発明においては、図５に示した従来技術におけるレッグレスト１４及びフットレスト１５に代って、起状態時＝レストとして働き、倒（寝）状態時はアンクルレストとして働く円筒体（ローラ）２１と、起状態時フットレストとして働く円筒体（ローラ）２２とを設けたものである。
【００１３】
ローラ２１は、コンターシート１３の先端に進後可能に取り付けられており、治療椅子が、図１に示す起状態にある時は、後退位置にあり、この時は、コンターシート１３上に座った患者の膝（ニー）部内側を支えており、ローラ２２は治療椅子に座った患者の足（足の裏）を支えることができるようになっている。而して、患者は、治療椅子が図１に示す起状態にある時に、該治療椅子の前方から該治療椅子に腰掛けるが、その際、図５に示した従来技術において必要としていたフットレスト（フットステップ）１５を有していないので、従来技術のように、フットレストが治療椅子の乗降の邪魔になるようなことはない。
【００１４】
ローラ２１の両端は、コンターシート１３に対して出入れ自在のアーム２３によって支持されており、このアーム２３がコンターシート１３に設けられた案内溝に沿って前後動し、後退時は図１に示した状態になり、前進時は図２に示した状態となる。なお、ローラ２１の前後動とバックレスト１２の倒起動は連動させてもよいが、必ずしも連動させることはなく、夫々、独立して前後動、起倒動するようにしてもよい。
【００１５】
上述のように、本発明によると、ローラ２１を前後動させることにより、後退時患者の膝部内側を支え、進出時患者の足（アンクル部）を支えるものであるが、進出時の進出長さを患者の身長等に合せて調整することにより、全ての患者のアンクル（踵）位置に正確に適合させることができる。
【００１６】
しかし、ローラ２１の両端をアーム２３によって支持しただけの場合、ローラ２１をコンターシート１３から進出させた時に、これらアーム間に空間ができ、この空間に患者の足が落ち込んでしまう恐れがあり、患者に不安定感を与える。
【００１７】
２４は、上述のごとき患者の不安定感を解消するために設けられたシートで、該シート２４はコンターシート１３又は基台１６に設けられた巻軸（図示せず）に巻回されており、その外周側の端部がローラ２１に連結されている。巻軸は、周知のように、シート２４を巻き取る方向に付勢されており、ローラ２１を進出させる時は、該巻軸の巻き取り付勢力に抗して繰り出され、ローラ２１を後退させる時は前記付勢力により該ローラ２１の後退に応じて巻き取られ、常時、ローラ２１との間で緊張された状態に保たれており、これによって、たとえ、患者の足がローラ２１から外れたとしても、該シート２４によって支えられるので、患者に不安定感を与えるような心配はない。
【００１８】
更に、ローラ２１の両端には第１のクランクアーム２５が取り付けられており、この第１のクランクアーム２５は軸方向に長孔２５ａを有し、該長孔２５ａには第２のクランクアーム２６の一端に取り付けられた軸２６ａが移動自在に連結されている。この第２のクランクアーム２６の他端は、基台１６に設けられた長孔１６ａ内を貫通する軸２６ｂに連結され、該軸２６ａは長孔１６ａの内を前後方向に移動可能となっている。従って、アーム２３を一杯に前方に押し出した時（前進させた時）は、図３に破線にて示した状態となり、最も後退させた時は、図４に示した状態となり、患者は、図３に破線にて示した状態と図４に実線にて示した状態の中間の状態、具体的には、例えば、図３において、実線にて示した患者の身長に適合した長さだけ押し出した状態（患者のアンクル部が乗る状態）で歯科治療を受けることができる。
【００１９】
軸２６ａには、アーム２７の一端が連結され、このアーム２７の先端に前述の円筒体（ローラ）２２が取り付けられており、このローラ２２は、アーム２３の前後動（従って、軸２６ａの移動）に追従して移動し、アーム２３が後退された状態、つまり、図４に示した状態においては、ローラ２１の略真下に位置し、患者が治療椅子へ乗降する時の邪魔になるようなことはない。
【００２０】
従って、患者は、本発明による歯科用治療椅子に乗降する場合、図４に示した状態、つまり、ローラ２１をコンターシート１３の直前まで後退させた状態（換言すれば、ローラ２１を最も後退させた状態）で乗降することが可能で、この時、ローラ２２は略ローラ２１の真下にあり、治療椅子への乗降の邪魔にならない。また、図３に実線にて示した状態、つまり、倒（寝）状態にした状態で治療を受ける場合、ローラ２１は寝状態における患者のかかと（アンクル）の位置まで前進され、患者は、例えば、自分の足のかかとの位置をローラ２１の上に乗せて治療を受けることができ、足を安定させた状態で治療を受けることができる。
【図面の簡単な説明】
【００２１】
【図１】本発明による歯科治療椅子の起治療時における状態を示す概略全体構成図である。
【図２】本発明による歯科治療椅子の倒（寝）治療時における状態を示す概略全体構成図である。
【図３】本発明による歯科治療椅子の倒（寝）治療時における動作例を説明するための要部構成図である。
【図４】本発明による歯科治療椅子の起治療時における動作例を説明するための要部構成図である。
【図５】従来の歯科用治療椅子の一例を説明するための図である。
【符号の説明】
【００２２】
１０…歯科用治療椅子、１２…バックレスト、１３…コンターシート、１６…基台、２１，２２…円筒体（ローラ）、２３…アーム、２４…シート、２５…第１のクランクアーム、２６…第２のクランクアーム、２７…アーム。
【図１】
2005349103.tif 000003
【図２】
2005349103.tif 000004
【図３】
2005349103.tif 000005
【図４】
2005349103.tif 000006
【図５】
2005349103.tif 000007